(57)【要約】      （修正有）【課題】アンチ・スプレイ装置（分離防止装置）において、対向するアーム（又は延在部）に対して着脱可能に結合されるアンチ・スプレイブリッジ部が、複雑なツール又は操作を有さず、且つ制御された方途において容易に取り外されるようにする。【解決手段】アンチ・スプレイ装置１３は、機械的締結具と共に使用されるブリッジ部１７及び脆弱性の接続箇所を備える。該機械的締結具は、軸部、及び対向するアームを有する受容部材を備える。ブリッジ部１７は、リング、ノッチを有するリング、チューブ、又はノッチを有するチューブを有する複数の形状を取り得、接続箇所は、受容部材の対向するアームをブリッジ部１７に接合させる。また、脆弱性の接続箇所間において接続されるタブを備えるアンチ・スプレイ装置１３も与えられる。【選択図】図２
2011167515.tif 000002
【特許請求の範囲】
【請求項１】
アンチ・スプレイ装置であって、
機械的締結組立体の受容部材の複数の対向するアームを接合するブリッジ部を有し、
該ブリッジ部は、複数の脆弱性の接続箇所によって前記アームに対して接合される、
アンチ・スプレイ装置。
【請求項２】
前記脆弱性の接続箇所間の或る位置において前記ブリッジ部に対して接合される１つ又はそれより多くのタブを更に有する、
請求項１記載のアンチ・スプレイ装置。
【請求項３】
前記ブリッジ部は、リング、チューブ、２つ又はそれより多くの弧、ノッチを有する弧、ノッチを有するリング、又はノッチを有するチューブを有する、
請求項１記載のアンチ・スプレイ装置。
【請求項４】
前記１つ又はそれより多くのタブは、開口又はくぼみ部を更に有する、
請求項２記載のアンチ・スプレイ装置。
【請求項５】
前記１つ又はそれより多くのタブは、長方形、四角形、六角形、又は楕円形である、
請求項２記載のアンチ・スプレイ装置。
【請求項６】
前記受容部材は２つの対向するアームを有する、
請求項１記載のアンチ・スプレイ装置。
【請求項７】
複数のタブを更に有し、
前記ブリッジ部はリング形状であり、
前記タブは、該ブリッジ部から上方向に延在しかつ４つの脆弱性の接続箇所によって該ブリッジ部に対して接続される、
請求項１記載のアンチ・スプレイ装置。
【請求項８】
前記複数の対向するアームの１つ又はそれより多くの上方部分において凹部を更に有する、
請求項１記載のアンチ・スプレイ装置。
【請求項９】
前記脆弱性の接続箇所のうち１つ又はそれより多くにおいて分割セクションを更に有する、
請求項１記載のアンチ・スプレイ装置。
【請求項１０】
アンチ・スプレイ装置であって、
複数のブリッジとタブとの組合せを有し、
該ブリッジとタブとの組合せの各々は、一組の脆弱性の接続箇所によって機械的締結組立体の受容部材の２つのアーム間において取り付けられ、
各組の前記脆弱性の接続箇所は横方向に離間される、
アンチ・スプレイ装置。
【請求項１１】
前記ブリッジとタブとの組合せは、長方形、四角形、楕円形、又は六角形である、
請求項１０記載のアンチ・スプレイ装置。
【請求項１２】
前記複数のブリッジとタブとの組合せのうち１つ又はそれより多くは、開口又はくぼみ部を更に有する、
請求項１０記載のアンチ・スプレイ装置。
【請求項１３】
前記脆弱性の接続箇所のうち１つ又はそれより多くにおいて分割セクションを更に有する、
請求項１０記載のアンチ・スプレイ装置。
【請求項１４】
アンチ・スプレイ装置であって、
複数の下方向に延在するタブを有するリング形状のブリッジ部を有し、
該ブリッジ部は、複数の脆弱性の接続箇所によって受容部材における複数の対向するアームに対して取り付けられる、
アンチ・スプレイ装置。
【請求項１５】
前記脆弱性の接続箇所の１つ又はそれより多くにおいて分割セクションを更に有する、
請求項１４記載のアンチ・スプレイ装置。
【請求項１６】
椎弓根ねじ組立体であって、
軸部と、
該軸部が通過する開口を備えるＵ字型頭部及び該Ｕ字型頭部から上方向に延在する複数のアームを有する、受容部材と、
該複数のアームを接合するブリッジ部と、
を有し、
該ブリッジ部は、複数の脆弱性の接続箇所によって前記アームに対して接合される、
椎弓根ねじ組立体。
【請求項１７】
前記複数の脆弱性の接続箇所間の或る位置において前記ブリッジ部に対して接合される１つ又はそれより多くのタブを更に有する、
請求項１６記載の椎弓根ねじ組立体。
【請求項１８】
前記ブリッジ部は、リング、チューブ、２つ又はそれより多くの弧、ノッチを有する弧、ノッチを有するリング、又はノッチを有するチューブを有する、
請求項１６記載の椎弓根ねじ組立体。
【請求項１９】
前記１つ又はそれより多くのタブは、開口又はくぼみ部を更に有する、
請求項１７記載の椎弓根ねじ組立体。
【請求項２０】
前記１つ又はそれより多くのタブは、長方形、四角形、六角形、又は楕円形である、
請求項１７記載の椎弓根ねじ組立体。
【請求項２１】
２つのタブは、４つの脆弱性の接続箇所によって前記ブリッジ部に対して接合される、
請求項１７記載の椎弓根ねじ組立体。
【請求項２２】
前記タブは長方形であり、
前記ブリッジ部はリング形状であり、
前記タブは前記ブリッジ部から上方向に延在する、
請求項１７記載の椎弓根ねじ組立体。
【請求項２３】
前記タブは長方形であり、
前記ブリッジ部はリング形状であり、
前記タブは前記ブリッジ部から下方向に延在する、
請求項１７記載の椎弓根ねじ組立体。
【請求項２４】
２つのタブは、２つの脆弱性の接続箇所によって前記ブリッジ部に対して接合される、
請求項１７記載の椎弓根ねじ組立体。
【請求項２５】
前記複数の脆弱性の接続箇所のうち１つ又はそれより多くにおいて分割セクションを更に有する、
請求項１６記載の椎弓根ねじ組立体。
【発明の詳細な説明】
【技術分野】
【０００１】
本願において開示される装置及びシステムの実施例は、全般的に対向するアームを備える機械的締結具（ファスナ）受容部材と共に使用される脆弱性の（frangible）タブ部分を備えるアンチ・スプレイ装置（分離防止装置、anti-splay  apparatus）に係る。より特には、本願において開示されるのは、２つ又はそれより多くの脆弱性のタブを介して受容部材の対向するアームに対して着脱可能に取り付けられるブリッジ部を有するアンチ・スプレイ装置である。
【背景技術】
【０００２】
複数の機械的ねじ（mechanical  screw）及び締結具は、骨に対して融合（癒合、fuse）、固定、又は締結するよう使用される。かかる締結具は、脊椎（spinal）の問題を修正する際に特に頻繁に使用される。よく知られている機械的締結具の一式は、椎体間における所望される空間的関係を固定するよう並びに／あるいは位置合わせするよう使用される椎弓根ねじ（pedicle  screw）組立体を有する。椎弓根ねじは、椎弓根骨（有茎骨pedicle  bone）に対して取り付けるよう構成される形状及び寸法を備える。椎弓根ねじ組立体は典型的には、椎骨（vertebra）へとねじ込まれるよう適合されるねじ込み軸部、及び通常はＵ字型頭部の形状である受容部材を有する。
【０００３】
図１は、知られているリダクションねじ型（reduction  screw  style）椎弓根ねじ組立体１を図示する。脊椎手術に対して使用される椎弓根ねじは一般的に、軸部３及び受容部材５を有する。受容部材５は典型的にはＵ字型頭部７を有し、該頭部から２つの対向するアーム９が延在する。複数の先行技術による椎弓骨ねじ組立体において延在部分１１は、（脆弱性の接続を有して）恒久的にあるいは脱着可能に対向するアーム９に対して取り付けられ、該アーム９から上方向に延在する。図１は、延在部分１１を対向するアーム９に対して取り付ける遠位の脆弱性の接続箇所（distal  frangible  connection  points）１０を図示する。かかる遠位の脆弱性の接続箇所１０は、対向するアーム９、Ｕ字型頭部７、及び軸部３を残してリダクションねじから延在部分１１を折り取るよう使用され得る。遠位の脆弱性の接続箇所は、いかなる型のリダクションねじ組立体においても、あるいは一般的な形状の軸部及び受容部材を備える機械的締結システムにおいても利用され得る、ことが当業者には理解される。
【０００４】
位置決めねじ、プラグ、又は類似する型の締結機構は、脊椎ロッド等である脊椎コネクタを椎弓根ねじの受容頭部へと係止（ロック）するよう使用される。使用時には、各ねじの軸部は椎骨へとねじ込まれ、適切に位置付けられると、ロッドが各ねじの受容部材を通って据えられ、該ロッドは、各ねじ及び脊椎ロッドをしっかりと相互接続させるようカップ又は他の締結機構をきつく締めることによって係止される。
【０００５】
一般的には、椎弓根ねじ組立体は、椎骨に対して締め付けられる２つ又はそれより多くの椎弓根ねじを使用する。ねじは、椎骨に対して固定された後に、安定化された椎骨の運動を制限する脊椎安定化ロッドに対して結合される。ねじは、設置後におけるねじに対するロッドの運動を防止するよう脊椎安全ロッドとのしっかりとした結合を備える、ことが重要である。椎弓根ねじは、受容部材の対向するアームを回してロッドに対して結合される。
【０００６】
受容部材の対向するアームに関する問題の１つは、一般的にロッドの最終トルクがけ又は締め付け及びリダクションとして知られていることが行なわれる間にロッドに対する位置決めねじにトルク負荷を与える一方で、該アームは、斜角を成して分離（splay）し得ること又は広がり得ること、である。かかる分離は、軸部に対して適所において残るロッドの不具合をもたらし得る。
【０００７】
複数の方法及び構造は、受容部材の対向するアームの分離を防止するために用いられてきている。そのような構造は、対向するアーム（又は延在部）の上方端部に対して恒久的に付けられる非分離リングの使用を有する。かかる構造が使用されるとき、執刀医は、手術の完了時に該リングを取り外すために別個のカッターを使用しなければならないため、アーム（又は延在部）は、取外しに対して解放され得る。切断部は、小さく、また鋭利であり得、切断行為の力をうけて発射体（projectiles）になり得る。
【０００８】
分離を防止するための更に他の知られている方法において、リングは、対向するアーム（又は延在部）上へと着脱可能にねじ込まれるかあるいは取り付けられ得る。かかる方法は、リング及びアーム（又は延在部）の操作に対して複雑なツールを必要とする。
【発明の概要】
【発明が解決しようとする課題】
【０００９】
必要となるのは、対向するアーム（又は延在部）に対して着脱可能に結合されるアンチ・スプレイブリッジ部であり、該アンチ・スプレイブリッジ部は、複雑なツール又は操作を有さず且つ制御された方途において容易に取り外され得る。
【課題を解決するための手段】
【００１０】
一実施例は、機械的締結組立体の受容部材の複数の対向するアームを接合するブリッジ部を有するアンチ・スプレイ（分離防止）装置を与える。該ブリッジ部は、複数の脆弱性の接続箇所によってアームに対して接合される。特定の態様において、アンチ・スプレイ装置は更に、脆弱性の接続箇所間の或る位置（ロケーション）においてブリッジ部に対して接合される１つ又はそれより多くのタブを有する。更なる複数の具体的な態様において、１つ又はそれより多くのタブは開口又はくぼみ（湾入）部を更に有する。タブは、装置の異なる実施例において多種の形状を備え得、かかる形状は、長方形、四角形、六角形、又は楕円形等を限定的ではなく有し得る。
【００１１】
更に他の実施例において、アンチ・スプレイのブリッジ部は、リング、チューブ、２つ又はそれより多くの弧（アーク）、ノッチを有する弧（notched  arc）、ノッチを有するリング、又はそれらの組合せを有する。
【００１２】
アンチ・スプレイの複数の態様において、受容部材は２つの対向するアームを有する。一方、他の態様においては受容部材が３つ又はそれより多くの対向するアームを有してもよい。当該装置の特定の態様において、受容部材は、アームから上方向に延在してアームを効果的に延伸させる延在部を更に有する。
【００１３】
特定の実施例において、アンチ・スプレイ装置は複数のタブを有し、ブリッジ部はリング形状であり、タブは、該ブリッジ部から上方向に延在し、４つの脆弱性の接続箇所によってブリッジ部に対して接続される。更に他の特定の実施例において、複数の対向するアームのうち１つ又はそれより多くの上方部分は凹部を有し得る。
【００１４】
他の特定の実施例において、アンチ・スプレイ装置は複数のブリッジ部とタブとの組合せを有する。各ブリッジ部とタブとの組合せは、一組の脆弱性の接続箇所によって機械的締結組立体の受容部材の２つのアーム間において取り付けられ、各組の接続箇所は側方方向において離間される。特定の態様において、ブリッジ部とタブとの組合せは、長方形、四角形、楕円形、又は六角形であり得る。複数の実施例において、複数のブリッジ部とタブとの組合せの１つ又はそれより多くは、開口又はくぼみ部を更に有する。
【００１５】
他の特定の実施例において、アンチ・スプレイ装置は、複数の下方向に延在するタブを有するリング形状のブリッジ部を有する。該ブリッジ部は、複数の脆弱性の接続箇所によって受容部材上で複数の対向するアームに対して取り付けられる。
【００１６】
更に他の実施例は、椎弓根ねじ組立体に対する改善を与え、当該椎弓根ねじ組立体は、軸部と、該軸部が通過する開口を備えるＵ字型頭部を有する受容部材とを有する。複数のアームは、Ｕ字型頭部から上方向に延在する。当該装置は、改善として複数のアームを接合するブリッジ部を有し、該ブリッジ部は複数の脆弱性の接続箇所によってアームに対して接合される。改善点は更に、脆弱性の接続箇所間における或る位置においてブリッジ部に対して接合される１つ又はそれより多くのタブを有する。改善におけるブリッジ部は、リング、チューブ、２つ又はそれより多くの弧、ノッチを有する弧、ノッチを有するリング、ノッチを有するチューブ、又はそれらの組合せを有し得る。改善における１つ又はそれより多くのタブは開口又はくぼみ部を更に有し得、また長方形、四角形、六角形、又は楕円形であり得る。
【００１７】
特定の実施例において、改善には、４つの脆弱性の接続箇所によってブリッジ部に対して接合される２つのタブが有される。改善に関する特定の実施例において、タブは長方形であり、ブリッジ部はリング形状であり、タブは該ブリッジ部から上方向に延在する。一方、他の実施例においては、タブは長方形であり、ブリッジ部はリング形状であり、タブは該ブリッジ部から下方向に延在する。
【００１８】
当該装置及び／又は改善点に関する特定の実施例は、１つ又はそれより多くの脆弱性の接続箇所における分割セクション（scored  section）を有し得る。複数の実施例においてかかる分割セクションは、脆弱性の接続箇所内における破断の位置を制御するか、並びに／あるいは接続箇所の寸法及び形状、もしくはアーム又は破断のあとに続く延在部において残るブリッジ部材料の寸法及び形状を制御する。
【００１９】
本発明は、添付の図面と併せて以下の詳細な説明からより完全に理解され得る。
【図面の簡単な説明】
【００２０】
【図１】技術的に知られている型の椎弓根ねじ組立体の立面図である。
【図２】受容部材の対向するアームに対して着脱可能に結合されるリング形状ブリッジ部を備えるアンチ・スプレイ装置の第１の実施例の斜視図である。
【図３】受容部材の対向するアームにわたって着脱可能に結合される２つの半円形ブリッジ部を備えるアンチ・スプレイ装置の第２の実施例の斜視図である。
【図４】非対称の脆弱性のタブを介して受容部材の対向するアームに対して着脱可能に結合される折り取られた管状ブリッジ部を備えるアンチ・スプレイ装置の第３の実施例の斜視図である。
【図５】受容部材の対向するアームにわたって着脱可能に結合されるノッチを有するブリッジ部を備えるアンチ・スプレイ装置の第４の実施例の斜視図である。
【図６】受容部材の対向するアームに対して着脱可能に結合されるノッチを有する管状ブリッジ部を備えるアンチ・スプレイ装置の第５の実施例の斜視図である。
【図７】延在部及び遠位接続箇所を有する、図３中に示されるアンチ・スプレイ装置の第２の実施例の斜視図である。
【図８】分割セクションの使用を更に図示する図３中の実施例の斜視図である。
【発明を実施するための形態】
【００２１】
特定の典型的な実施例は、本願に開示される装置の構造、機能、及び使用の原理について総合的な理解を与えるよう以下において説明される。かかる実施例の１つ又はそれより多くの例は、添付の図面において示される。当業者は、本願において具体的に説明及び図示される装置が非限定的である典型的な実施例であること、及び本発明の範囲は請求項によってのみ定義付けられることを理解するものである。典型的な一実施例に関連して図示又は説明される特徴は、他の実施例の特徴と組み合わされてもよい。かかる修正及び変形は、本願発明の装置の範囲内に含まれるものとして意図される。
【００２２】
本発明の実施例は、機械的締結組立体において使用される受容部材の２つの対向するアームの分離を防止するための装置を与える。かかる機械的締結組立体は、一般的には低侵襲手術技術において有用である。限定的ではなく典型的である目的として、機械的締結組立体は椎弓根ねじとして説明される。
【００２３】
図２は、アンチ・スプレイ装置１３の第１の実施例を図示する。２つの対向するアーム（又は延在部）１５は頭部（図示せず）から上方向に延在し、それを通って軸部（図示せず）が接続され得る。アンチ・スプレイ装置１３は、アームの上部表面においてリング接合アーム１５の形状におけるブリッジ部１７を有する。２つのタブ１９は、ブリッジ部１７から上方向に延在し、脆弱性の接続箇所２１によってアーム１５から離間される。図２に示される通り、タブ１９は、長方形形状であり、複数の実施例においてアーム（又は延在部）１５の湾曲及び形状に類似するように長手方向軸の周りに湾曲され得る。タブ１９は、例えば四角形、楕円形、又は半円形を含む複数の形状を取り得る。脆弱性の接続箇所２１は、ブリッジ部１７と一体的に形成されるが、十分に狭い幅及び高さを備えるため、容易に破断され（broken）得るかあるいは折られ（snapped）得る。複数の実施例において、脆弱性の接続箇所２１は、１ｍｍと同等の幅及び／又は高さを備える。更に他の実施例において、脆弱性の接続箇所２１は、破断を更に制御又は促進するための溝又は刻みを入れられた範囲（carved  areas）更に有し得る。図２に見られる通り、複数の実施例において、ブリッジ部の一部はアーム（又は延在部）１５の上方部分又は表面であり得る。
【００２４】
アンチ・スプレイ装置１３の第２の実施例は図３に示される。第２の図示された実施例においてブリッジ部は、２つの対向するアーム（又は延在部）２５を橋渡し及び接続する２つの半円形部分２３から形成される。図３に示される通り、２つの対向するアーム（又は延在部）２５の最上部は凹部２７を有し得る。下方向に突出するタブ２９は、脆弱性の接続箇所２１間において延在する。タブ２９は、長方形であり、アーム（又は延在部）２５の湾曲及び形状に類似するようも長手方向軸の周囲に湾曲され得る。タブ２９は、タブがツールによって引っ掛けられ得るかあるいは掴まれ得るよう開口又はくぼみ部３１を有し得る。凹部２７は、実施例によっては、タブ２５の屈曲及び除去時にアーム（又は延在部）２５に対してトルクが加えられ得るようにし得る。
【００２５】
図８は、接続箇所２１の各々において分割セクション２２を更に有する図３中の実施例を示す。当業者は、図３中に示される装置の実施例以外の装置の実施例を含んで、かかる分割セクションがアンチ・スプレイ装置の１つ又はそれより多くの接続箇所にあり得ることを理解する。特定の理論によって制約されることなく、分割セクション２２は、タブ又はブリッジ部とタブとの組合せの屈曲時に脆弱性の接続箇所２１の破断の位置をよりよく制御するよう使用され得る。複数の例において、分割セクション２２はまた、接続箇所における破断の後に残る材料の量及び形状を制御するよう使用され得る。しかしながら更に他の実施例においては、分割セクション２２が使用され得ず、破断位置及び破断のあとに残る材料は、脆弱性の接続箇所の寸法、及び／又は脆弱性の接続箇所に対して加えられるねじれの方向又は角度の寸法によってのみ制御され得る。
【００２６】
図４を参照すると、アンチ・スプレイ装置１３の第３の実施例はブリッジ部とタブとの組合せ３３を有する。ブリッジ部とタブとの組合せ３３は、長方形であり、横方向に離間される一組の脆弱性の接続箇所を介して２つの対向するアーム（又は延在部）１５に対して取り付けられる。複数の実施例において脆弱性の接続箇所は、アーム（又は延在部）１５の上部表面から不均等に更に離間される。即ち、アーム（又は延在部）１５に対してブリッジ部とタブとの組合せを接合する一組の脆弱性の接続箇所のうち一方は深い陥凹部（recess）又は凹部１６を構成し得る一方、かかる一組のうち他方は浅い陥凹部又は凹部１８を構成し得る。複数の実施例において、ブリッジ部とタブとの組合せ３３は、四角形、楕円形、又は六角形等である種々の形状を備え得る。特定の実施例において、ブリッジ部とタブとの組合せ３３は、脆弱性の接続箇所２１を破断させるようブリッジ部とタブとの組合せを引っ掛けて屈曲させることを容易にするよう開口又はくぼみ部（図示せず）を更に有し得る。
【００２７】
アンチ・スプレイ装置１３の第４の実施例は図５に示される。アーム（又は延在部）２５は、実質的にＶ字型又はＵ字型部材である他のブリッジ部とタブとの組合せ５３によって接合される。ブリッジ部とタブとの組合せ５３は、脆弱性の接続箇所２１に類似するかあるいはそれより大きい寸法を備え得る。
【００２８】
図６は、アンチ・スプレイ装置１３の第５の実施例を示す。リング形状ブリッジ部３５は、アーム（又は延在部）３９の上部表面に対して取り付けられる。対向するタブ３７は、ブリッジ部３５から下方向に延在する。タブ３７は、アーム（又は延在部）３９間における引き離しを部分的に広げ、２つの脆弱性の接続箇所２１においてブリッジ部３５を接合する。図６に示される通り、ブリッジ部３５及びタブ３７は、アーム（又は延在部）３９を超えて軸方向に延在する。他の実施例において、ブリッジ部３５及びタブ３７はアーム（又は延在部）３９と同軸であり得る。タブ３７の一方又は両方は、開口又はくぼみ部４１を更に有し得、脆弱性の接続箇所２１の屈曲及び破断を引き起すようツールに容易に引っ掛けられ得るか、あるいは掴まれ得る。図６は、内側方向に傾斜するアーム（又は延在部）３９の上部セクションを示す。他の実施例において、アーム（又は延在部）３９の上方部分は段階的にテイパされ得る。
【００２９】
図３及び５の各々において、凹部２７は各アーム２５において示される。かかる実施例において、タブ２９又はブリッジ部とタブとの組合せ５３が遠位ねじ体のＵ字型受容部材のすぐ上方においてアーム２５を取り付ける接続を破断するよう屈曲されるとき、凹部２７はアーム２５に対してトルクを加える支援をし得る。
【００３０】
図７は、本願発明によるアンチ・スプレイ装置１３の第２の実施例（任意の分割セクション２２を有さない）を示し、該アンチ・スプレイ装置１３は、椎弓根ねじ組立体の受容部材４３に関連付けられて使用され且つ該受容部材４３と一体的に形成される。椎弓根ねじ組立体は、Ｕ字型頭部４７と延在部５１を有する対向するアーム４９とを有する受容部材４３を有する。図７に示される組立体は、遠位接続箇所１０を更に示す。使用時にブリッジ部１７は、椎弓根ねじ組立体が適所におかれるときにアーム４９及び延在部５１が分離することを防止する。椎弓根ねじ組立体の設置が完了すると、タブ１９は、単純なツール又は手を使って掴まれ得、脆弱性の接続箇所２１を破断するよう屈曲され得る。図７に示される通り、Ｕ字型頭部４７は、１つ又はそれより多くの開口又は技術的に知られている特徴を備え得る。
【００３１】
かかる組立体が２つ又はそれより多くのアーム（又は延在部）を備える受容部材を有すると仮定すると、図２乃至６に示されるものを限定的ではなく有するアンチ・スプレイ装置の多種の実施例は、複数の機械的締結組立体のいずれかとともに使用され得る、ことが当業者には理解される。即ち、アンチ・スプレイ装置は、かかる知られているあるいはのちに開発される受容部材に対して取り付けられ得るか、あるいはそれと一体的に成形され得る。
【００３２】
開示された原理に関連付けられる多種の実施例が上述されてきたが、かかる実施例は単なる例として提示されたものでありかつ限定的なものではない、ことが理解されるべきである。故に、本発明の広がり及び範囲は、上述された典型的な実施例によって限定されるべきではなく、本願から与えられる請求項及びそれと同等のものとのみ一致して定義付けられるべきである。更に、上述された利点及び特徴は、説明された実施例において与えられるが、添付の請求項の適用を上述された利点のいずれかあるいは全てを達成する工程及び構造に制限すべきではない。
【００３３】
更に、本願の冒頭は、３７Ｃ．Ｆ．Ｒ．１．７７における示唆に整合するよう、あるいは構成の手がかり（organizational  cues）を提供するよう、与えられるものである。該冒頭の記載は、本開示から与えられ得る請求項において定められる本発明を限定又は特徴付けするものではない。具体的には、「背景」における技術の説明は、該技術が本開示における発明に対する先行技術であることを認めているものとして解釈されるべきではない。また、「課題を解決するための手段」は、添付の請求項において記載される発明の特徴付けとして解釈されるべきではない。更に、本願において単数形で示される「発明」の記載は、本願には１点の新規性しかないことを議論するために使用されるべきではない。複数の発明は、本開示によって与えられる複数の請求項の限定に従って示され得、したがってかかる請求項が保護される発明及びそれと同等のものを定義付ける。全ての例において、かかる請求項の範囲は、本開示を踏まえてその進化によって考慮されるべきであり、本願の冒頭によって制約されるべきではない。
【符号の説明】
【００３４】
１  椎弓根ねじ
３  軸部
５  受容部材
７  Ｕ字型頭部
９  アーム
１０  脆弱性の接続箇所
１１  延在部
１３  アンチ・スプレイ装置
１５  アーム（又は延在部）
１７  ブリッジ部
１９  タブ
２１  脆弱性の接続箇所
２２  分割セクション
２３  半円形部分
２５  アーム
２７  凹部
２９  タブ
３１  開口又はくぼみ部
３３  ブリッジ部とタブとの組合せ
３５  ブリッジ部
３７  タブ
３９  アーム（又は延在部）
４１  開口又はくぼみ部
４３  受容部材
４７  Ｕ字型頭部
４９  アーム
５１  延在部
５３  ブリッジ部とタブとの組合せ
【図１】
2011167515.tif 000003
【図２】
2011167515.tif 000004
【図３】
2011167515.tif 000005
【図４】
2011167515.tif 000006
【図５】
2011167515.tif 000007
【図６】
2011167515.tif 000008
【図７】
2011167515.tif 000009
【図８】
2011167515.tif 000010